(57)【特許請求の範囲】
【請求項１】
直流電源の正極側に接続された正極側スイッチング素子と、
前記直流電源の負極側に接続された負極側スイッチング素子と、
直列に接続された前記正極側スイッチング素子と前記負極側スイッチング素子との中間点と出力端子の間に設けられた複数のコイルと、前記出力端子と前記直流電源の負極側との間に設けられた複数のコンデンサとの組み合わせと、
前記コイルと前記コンデンサの複数の組合せから、前記コイルと前記コンデンサのひとつの組合せが選択された場合、選択された以外の前記コイルと前記コンデンサの組合せを選択された前記コイルと前記コンデンサの組合せから電気的に切り離す切り替え器と、
前記正極側スイッチング素子と、前記負極側スイッチング素子とをオン、オフ制御し、オン、オフする周波数に応じて前記コイルと前記コンデンサの組合せを決定し、前記切り替え器を操作する制御部とを備えた電源電圧制御装置。
【請求項２】
複数の前記コイルはそれぞれ複数の選択入力端子と複数の選択出力端子の間に設けられ、
複数の前記コンデンサはそれぞれ複数の前記選択出力端子と前記直流電源の負極側との間に設けられ、
前記切り替え器は、選択された前記コイルと前記コンデンサの組合せに対応する前記選択入力端子を前記中間点に接続し、選択された前記コイルと前記コンデンサの組合せに対応する前記選択出力端子を前記出力端子に接続する請求項１に記載の電源電圧制御装置。
【請求項３】
複数の前記コイルはそれぞれ複数の選択入力端子と前記出力端子の間に設けられ、
複数の前記コンデンサはそれぞれ前記出力端子と複数の選択接地端子との間に設けられ、
前記切り替え器は、選択された前記コイルと前記コンデンサの組合せに対応する前記選択入力端子を前記中間点に接続し、選択された前記コイルと前記コンデンサの組合せに対応する前記選択接地端子を前記直流電源の負極側に接続する請求項１に記載の電源電圧制御装置。
【請求項４】
前記制御部は、前記制御部の記憶装置に格納された書き換え可能なソフトウェアに基づいて、前記出力端子の出力電圧とフィードバック電流に応じて、前記正極側スイッチング素子と前記負極側スイッチング素子の制御周波数とデューティを制御し、前記制御周波数に応じて前記切り替え器を操作する請求項１から３のいずれか一項に記載の電源電圧制御装置。
【請求項５】
前記中間点と前記出力端子の間に設けられた複数の前記コイルと、前記出力端子と前記直流電源の負極側との間に設けられた複数の前記コンデンサとは、前記制御部の外部に取り付けられている請求項１から４のいずれか一項に記載の電源電圧制御装置。
【請求項６】
前記中間点と前記出力端子の間に設けられた前記コイルと、前記出力端子と前記直流電源の負極側との間に設けられたコンデンサが変更されるとともに、記憶装置に格納されたソフトウェアが書き換えられることによって仕様変更が可能である請求項４または５に記載の電源電圧制御装置。
【発明の詳細な説明】
【技術分野】
【０００１】
本願は、電源電圧制御装置に関する。
【背景技術】
【０００２】
車両がネットワークに接続され、様々な情報サービスを受けることが可能になるコネクテッドカーが普及し始めている。そのような、ネットワークに接続される車両に搭載されている電子機器と、車両外の電子機器との間では、様々な情報を送受信することになる。このため、送受信する情報量、処理量が膨大となる。それゆえ、様々な、情報処理装置、集積回路、電子部品を搭載する制御装置において、各部品に適合した安定した電源を供給する必要が生じる。
【０００３】
特許文献１には、負荷電流を安定化させるスイッチング回路が開示されている。そのスイッチング回路では、低負荷時にＰＦＭ（Ｐｕｌｓｅ  Ｆｒｅｑｕｅｎｃｙ  Ｍｏｄｕｌａｔｉｏｎ）すなわちパルス周波数変調、高負荷時にＰＷＭ（Ｐｕｌｓｅ  Ｗｉｄｔｈ  Ｍｏｄｕｌａｔｉｏｎ）すなわちパルス幅変調により、電圧を制御している。
【０００４】
直流電源の正極側に接続された正極側スイッチング素子と、直流電源の負圧側に接続された負圧側スイッチング素子とが直列に接続線によって接続されている。接続線に設けられた接続点には、接続点と出力端子の間に設けられたコイルと、出力端子と直流電源の負極側との間に設けられたコンデンサとが設けられている。接続点と出力端子の間に設けられたコイルと、出力端子と直流電源の負極側との間に設けられたコンデンサは各１個であって固定されている。
【先行技術文献】
【特許文献】
【０００５】
【特許文献１】特許第５８５５４１８号公報
【発明の概要】
【発明が解決しようとする課題】
【０００６】
電圧制御に必須であるコイルの最適なインダクタンスの値は、直流電源電圧Ｖｉｎ、出力電圧Ｖｏｕｔ、出力電流Ｉｏｕｔ、スイッチング周波数ｆｓｗ、によって変化する。出力電流Ｉｏｕｔ、スイッチング周波数ｆｓｗは実使用時に変動するにもかかわらず、インダクタンスの値が固定であると、電流リップルが増加し、最悪の場合発振を誘発する。
【０００７】
また、コイルの出力端子側と直流電源の負極側の間に接続するコンデンサの容量は、組み合わせられるインダクタンスの値、スイッチング周波数ｆｓｗ、インダクタンスのリップル電流の変化に応じて、静電容量、ＥＳＲ（Ｅｑｕｉｖａｌｅｎｔ  Ｓｅｒｉｅｓ  Ｒｅｓｉｓｔａｎｃｅ）すなわち等価直列抵抗、ＥＳＬ（Ｅｑｕｉｖａｌｅｎｔ  Ｓｅｒｉｅｓ  Ｉｎｄｕｃｔａｎｃｅ）すなわち等価直列インダクタンスを変化させることが理想である。コンデンサの特性を固定した場合、スイッチング周波数ｆｓｗ、インダクタンスのリップル電流の変化に対して、出力の電圧リップルが増加するおそれがある。
【０００８】
本願は、従来の電源電圧制御装置に於ける前述の課題を解決するためになされたものであり、スイッチング素子の制御による電源の供給において、スイッチング周波数ｆｓｗが変化した場合においても、出力電圧のリップルおよび発振の誘発を防止する電源電圧制御装置を提供することを目的とする。
【課題を解決するための手段】
【０００９】
本願に係る電源電圧制御装置は、
直流電源の正極側に接続された正極側スイッチング素子と、
直流電源の負極側に接続された負極側スイッチング素子と、
直列に接続された正極側スイッチング素子と負極側スイッチング素子との中間点と出力端子の間に設けられた複数のコイルと、出力端子と直流電源の負極側との間に設けられた複数のコンデンサとの組み合わせと、
複数のコイルと複数のコンデンサから、ひとつのコイルとひとつのコンデンサの組合せが選択された場合、選択された以外のコイルとコンデンサの組合せを選択されたコイルとコンデンサの組合せから電気的に切り離す切替え器と、
正極側スイッチング素子と、負極側スイッチング素子とをオン、オフ制御し、オン、オフする周波数に応じてコイルとコンデンサの組合せを決定し、切り替え器を操作する制御部とを備えたものである。
【発明の効果】
【００１０】
本願に係る電源電圧制御装置によれば、選択したスイッチング周波数に適合したコイルとコンデンサを採用することができるため、出力電圧の発振懸念がなくなるとともに電圧リップルを抑制し、安定した出力電圧を得ることができる。
【図面の簡単な説明】
【００１１】
【図１】実施の形態１に係る電源電圧制御装置の構成を示す図である。
【図２】実施の形態１に係る電源電圧制御装置のハードウェア構成図である。
【図３】実施の形態１に係るスイッチング周期とコイル、コンデンサを選択するためのデータを示す図である。
【図４】実施の形態１に係る負荷電流が一定時の電圧制御を示すタイミングチャートである。
【図５】実施の形態１に係る負荷電流が増加する場合の電源電圧制御を示すタイミングチャートである。
【図６】実施の形態２に係る電源電圧制御装置の構成を示す図である。
【図７】実施の形態３に係る電源電圧制御装置の構成を示す図である。
【図８】実施の形態４に係るスイッチング周期とコイル、コンデンサを選択するためのデータを示す図である。
【発明を実施するための形態】
【００１２】
以下、本願に係る電源電圧制御装置の実施の形態について、図面を参照して説明する。
【００１３】
１．実施の形態１
図１は、実施の形態１に係る電源電圧制御装置１００の構成を示す図である。図２は、実施の形態１に係る電源電圧制御装置１００のハードウェア構成図である。図３は、実施の形態１に係るスイッチング周期とコイル、コンデンサを選択するためのデータを示す図である。図４は、実施の形態１に係る負荷電流が一定時の電圧制御を示すタイミングチャートである。図５は、実施の形態１に係る負荷電流が増加する場合の電源電圧制御を示すタイミングチャートである。
【００１４】
図１は、実施の形態１に係る電源電圧制御装置１００の構成を示す。電源電圧制御装置１００は、発振回路６５と、再書き込み可能なプログラムとデータ、並びにタイマ、分周器を保有した制御モジュール６０を有する。制御モジュール６０は、出力電圧Ｖｏｕｔをモニタするためのモニタ電圧Ｖｆ、リファレンス電圧Ｖｒ、フィードバック電流の電圧変換した値である電流余裕値Ｖｌを入力する。
【００１５】
制御モジュール６０はこれらの入力に応じて、負荷が変動しても出力電圧を目標の電圧に安定させるために、直列に接続された正極側スイッチング素子１と負極側スイッチング素子２、コイル、コンデンサから構成されたスイッチングレギュレータの周波数とデューティを適切に制御する。そして、スイッチングレギュレータに接続する最適なコイルとコンデンサのペアを複数のコイルとコンデンサのペアの中からスイッチング周波数に応じて選択し、切り替え器５と切り替え器７を操作する。すなわち、スイッチング周波数を選択すると、切り替え器５と切り替え器７によって、当該周波数に適合したコイルとコンデンサペアのみが回路に接続され、それ以外のペアが電気的に切り離される構成となっている。
【００１６】
＜制御モジュールのハードウェア構成＞
図２は、実施の形態１に係る電源電圧制御装置１００の構成要素である、制御モジュール６０のハードウェア構成図である。本実施の形態では、制御モジュール６０は、電源電圧制御装置１００のスイッチングレギュレータを制御し、また切り替え器５と切り替え器７を操作して、スイッチングレギュレータが駆動するコイルとコンデンサをスイッチングレギュレータの駆動周波数に応じて切り替えている。制御モジュール６０の各機能は、制御モジュール６０が備えた処理回路により実現される。具体的には、制御モジュール６０は、図２に示すように、処理回路として、ＣＰＵ（Central Processing Unit）等の演算処理装置９０（コンピュータ）、演算処理装置９０とデータのやり取りをする記憶装置９１、演算処理装置９０に外部の信号を入力する入力回路９２、及び演算処理装置９０から外部に信号を出力する出力回路９３等を備えている。
【００１７】
演算処理装置９０として、ＡＳＩＣ（Application Specific Integrated Circuit）、ＩＣ（Integrated Circuit）、ＤＳＰ（Digital Signal Processor）、ＦＰＧＡ（Field Programmable Gate Array）、各種の論理回路、及び各種の信号処理回路等が備えられてもよい。また、演算処理装置９０として、同じ種類のものまたは異なる種類のものが複数備えられ、それらが各処理を分担して実行してもよい。記憶装置９１として、演算処理装置９０からデータを読み出し及び書き込みが可能に構成されたＲＡＭ（Random Access Memory）、演算処理装置９０からデータを読み出し可能に構成されたＲＯＭ（Read Only Memory）、フラッシュメモリ等が備えられている。入力回路９２は、各種のセンサ及びスイッチが接続され、これらセンサ及びスイッチの出力信号を演算処理装置９０に入力するＡ／Ｄ変換器等を備えている。出力回路９３は、電気負荷が接続され、これら電気負荷に演算処理装置９０からの制御信号を変換して出力する駆動回路等を備えている。
【００１８】
制御モジュール６０が備える各機能は、演算処理装置９０が、ＲＯＭ等の記憶装置９１に記憶されたソフトウェア（プログラム）を実行し、記憶装置９１、入力回路９２、及び出力回路９３等の制御モジュール６０の他のハードウェアと協働することにより実現される。なお、制御モジュール６０が用いる閾値、判定値等の設定データは、ソフトウェア（プログラム）の一部として、ＲＯＭ等の記憶装置９１に記憶されている。
【００１９】
図１の制御モジュール６０の内部に記載されたタイマ、分周器、そして正極側スイッチング素子１と負極側スイッチング素子２を駆動するドライバ、切り替え器５と切り替え器７を操作する出力は、それぞれソフトウェアのモジュールで構成されるものであってもよいが、ソフトウェアとハードウェアの組み合わせによって構成されるものであってもよい。
【００２０】
＜電圧調整＞
図１の、個別の回路、信号について説明する。電源電圧制御装置１００の出力端子１１の出力電圧Ｖｏｕｔは、抵抗Ｒ１、Ｒ２で分圧されたモニタ電圧Ｖｆとして制御モジュール６０に入力線９から入力される。また、電源電圧制御装置１００の出力すべき電圧が、リファレンス電圧Ｖｒとして入力線１０から入力される。
【００２１】
電源電圧制御装置１００の出力電流ＩＬの過不足に関するパラメータである電流余裕値Ｖｌが入力線８から入力される。出力電流ＩＬから負荷電流Ｉｏｕｔを差し引いた差分にオフセット電流Ｉｏｓを加算した電流値（ＩＬ−Ｉｏｕｔ＋Ｉｏｓ）の電圧変換値である電流余裕値Ｖｌが制御モジュールへ入力される。（ＩＬ−Ｉｏｕｔ）がマイナスの値を取る場合、すなわち電流が図１の矢印と逆の向きに流れる場合の電流値も正確に制御モジュールへ伝えるために、オフセット電流Ｉｏｓを加算している。これによって、制御モジュール６０へは必ず正の電圧が入力される。
【００２２】
制御モジュール６０は、発振回路６５から供給される基準クロックを分周する分周器、およびこれをカウントするタイマとプログラム、データを格納する記憶装置９１を内蔵している。制御モジュール６０は、基準クロックに同期して正極側スイッチング素子１（Ｍ１）、負極側スイッチング素子２（Ｍ２）のオン、オフ制御を行う。正極側スイッチング素子１（Ｍ１）は直流電源の正極側３に接続され、負極側スイッチング素子２（Ｍ２）は直流電源の負極側４に接続されている。正極側スイッチング素子１（Ｍ１）と負極側スイッチング素子２（Ｍ２）は直列に中間点で接続されている。
【００２３】
＜スイッチング周期、コイル、コンデンサの選択＞
電源電圧制御装置１００は、スイッチング周波数に適合する複数のコイルＬ１、Ｌ２、・・・、Ｌｎと、複数のコンデンサＣ１、Ｃ２、・・・、Ｃｎの組み合わせ、（Ｌ１、Ｃ１）、（Ｌ２、Ｃ２）、・・・、（Ｌｎ、Ｃｎ）を搭載している。図１では、コイル、コンデンサともｎ種類の組合せの例を示している。これらのコイルとコンデンサは、例えば半導体チップの中に作りこんでおくこともできるし、ディスクリート部品を制御モジュール６０の印刷配線基板に実装して内蔵させてもよい。
【００２４】
図３は、実施の形態１に係るスイッチング周期とコイル、コンデンサを選択するためのデータを示している。閾値Ｖｔｈ１、Ｖｔｈ２、Ｖｔｈ３を設け、電流余裕値Ｖｌの値に応じて、スイッチング周期、コイル、コンデンサのセット（Ｔｓｗｋ、Ｌｋ、Ｃｋ）を決定する（ｋ＝１から４）。図３では、４種類のスイッチング周期Ｔｓｗ、コイル、コンデンサの組合せを示している。
【００２５】
選択可能なスイッチング周期Ｔｓｗｋはここでは、基準クロック周期Ｔｂａｓｅの逓倍とし、電流余裕値Ｖｌに応じて最適なスイッチング周期Ｔｓｗｋ、コイルＬｋとコンデンサＣｋの組み合わせを選択する。基本的には、大きくなる負荷電流Ｉｏｕｔに追随させることで大きくなる出力電圧Ｖｏｕｔのノイズを抑えるために、Ｔｓｗｋを短くしてスイッチング周波数を高くし、かつ、小さなインダクタを持つコイルを選択するようにする。
【００２６】
制御モジュール６０は決定したスイッチング周期Ｔｓｗｋに適合したＬｋとＣｋを選択するため、スイッチで構成された切り替え器５と切り替え器７へ制御指示を出力し、これによって切り替え器５と切り替え器７は、選択されたＬｋ、Ｃｋのみを回路に接続し、それ以外のコイルとコンデンサを回路から切り離す。切り替え器５と切り替え器７は、リレーにより構成され機械的スイッチで切り換えることとしてもよいが、半導体スイッチからなるマルチプレクサを使用してもよい。
【００２７】
制御モジュール６０は、スイッチングレギュレータを構成する、正極側スイッチング素子１（Ｍ１）と、負極側スイッチング素子２（Ｍ２）を駆動するが、デッドタイム（両方のスイッチング素子が同時にオフする期間）を設けることとしてもよい。制御モジュール６０内のプログラムとデータは外部から読み出し、書き込み可能とすることができる。
【００２８】
実施の形態１では、直流電源の正極側３に接続された正極側スイッチング素子１と、直流電源の負極側４に接続された負極側スイッチング素子２とを備えている。直列に接続された正極側スイッチング素子１と負極側スイッチング素子２との中間点６と出力端子１１の間には、複数のコイル３１、３２、３３が備えられ、出力端子１１と直流電源の負極側４との間に複数のコンデンサ４１、４２、４３が備えられ、コイルとコンデンサとの組み合わせが複数接続される。切り替え器５、７によって複数のコイルと複数のコンデンサの組合せから、ひとつのコイルとひとつのコンデンサの組合せが選択され、選択された以外のコイルとコンデンサの組合せが、電気的に切り離される。制御モジュール６０は、定電圧制御のために電流余裕値Ｖｌを算出し、電流余裕値Ｖｌに応じて、スイッチング周波数、コイル、コンデンサのセットを決定し、即ちスイッチング周波数からコイルとコンデンサの種類が決定されることとなる。これによって、スイッチング周波数に応じた、最適なコイルとコンデンサによって、安定した電源電圧を得ることができ、発振の恐れ、リップルの増大などを回避することができる。
【００２９】
また、図１に示されているように、切り替え器５、７に示されているように、複数のコイル３１、３２、３３はそれぞれ複数の選択入力端子２１、２２、２３と複数の選択出力端子５１、５２、５３の間に設けられ、複数のコンデンサ４１、４２、４３はそれぞれ複数の選択出力端子５１、５２、５３と直流電源の負極側４との間に設けられている。切り替え器５、７は、選択されたコイルとコンデンサの組合せに対応する選択入力端子２１、２２、２３を中間点６に接続し、選択されたコイルとコンデンサの組合せに対応する選択出力端子５１、５２、５３を出力端子１１に接続する。比較的簡単な回路で、最適なコイルとコンデンサを選択して接続することができるので、効果的である。
【００３０】
２．実施の形態２
図６は、実施の形態２に係る電源電圧制御装置１０１の構成を示す図である。図６では、特定のコイルとコンデンサのペアを選択するための配線の別の構成を示している。
【００３１】
図６では。複数のコイル３１、３２、３３はそれぞれ複数の選択入力端子２１、２２、２３と出力端子１１の間に設けられている。そして、複数のコンデンサ４１、４２、４３はそれぞれ出力端子１１と複数の選択接地端子７１、７２、７３との間に設けられている。切り替え器５、１２では、正極側スイッチング素子と負極側スイッチング素子の間の中間点６と選択入力端子２１、２２、２３のいずれかが接続される。
【００３２】
切り替え器５、７１は、選択されたコイルとコンデンサの組合せに対応する選択入力端子２１、２２、２３を中間点６に接続し、選択されたコイルとコンデンサの組合せに対応する選択接地端子７１、７２、７３のいずれかが直流電源の負極側４に接続される。制御モジュール６１が、電流余裕値Ｖｌに応じて、スイッチング周波数、コイル、コンデンサのセットを決定し、選択したコイル、コンデンサだけを接続し、他のコイルとコンデンサの組み合わせは回路から切り離している。切り替え器５によって、正極側スイッチング素子と負極側スイッチング素子の間の中間点６が、コイルのつながる選択入力端子２１、２２、２３のいずれかに接続される。この時接続したコイルとペアになっているコンデンサの選択接地端子７１、７２、７３のいずれかが、直流電源の負極側４と接続される。
【００３３】
図６のように構成することで、比較的簡単な回路で、最適なコイルとコンデンサを選択して接続することができるので、効果的である。切り替え器５と切り替え器１２は、リレーにより構成され機械的スイッチで切り換えることとしてもよいが、半導体スイッチからなるマルチプレクサを使用してもよい。また、図５では、各コンデンサの接地側に切り替え器１２を設けたが、各コンデンサの出力端子１１側に設けてもよい。
【００３４】
３．実施の形態３
図７は、実施の形態３に係る電源電圧制御装置１０２の構成を示す図である。図７では、スイッチングレギュレータを構成する、複数のコイル１３１、１３２、１３３と複数のコンデンサ１４１、１４２、１４３を同一チップ上に集積する、もしくは制御モジュールの印刷配線基板に設けるのではなく、制御モジュールの外側に取り付ける構成である。この場合、コイルＬとコンデンサＣの選択できる組み合わせ数に応じて、外部端子１２１、１２２、１２３を設ける。
【００３５】
実施の形態１に係る図１と同様に、制御モジュールからの操作によって切り替え器５と切り替え器７によって、複数のコイルＬとコンデンサＣの組み合わせのうちの１つのみが、スイッチングレギュレータ回路を構成し、他の組み合わせのコイルＬとコンデンサＣは電気的に切り離される。
【００３６】
このように構成することにより、複数のコイルと複数のコンデンサを同一チップ上に集積する場合は使用が困難であった、大きなインダクタンスを有するコイル、大容量のコンデンサを使用することができる。また、制御モジュールに内蔵された印刷配線基板に実装した場合は、取り外し、後付け、別の種類の部品への交換作業に手間がかかっていた。制御モジュールの外側、複数のコイルと複数のコンデンサを設置することで、取り外し、後付け、別の種類の部品への交換が容易となるので意義が大きい。
【００３７】
４．実施の形態４
図８は、実施の形態４に係るスイッチング周期とコイル、コンデンサを選択するためのデータを示す図である。実施の形態４に係る電源電圧制御装置は、制御仕様の変更が必要となった場合に、スイッチングレギュレータを構成する複数のコイルと複数のコンデンサを交換し、制御モジュールのソフトウェアを書き換えることで対応できるものである。
【００３８】
電源電圧制御装置に対する想定負荷が当初の仕様から変更された場合について説明する。例えば、想定負荷が減少した場合、最適な（スイッチング周期Ｔｓｗ、コイルＬ、コンデンサＣ）のセットが新たに必要となることが考えられる。
【００３９】
新たな要求仕様に対して、実施の形態３に係る図７の電源電圧制御装置１０２のような構成としておけば、インダクタンスの異なるコイルＬ、容量が異なるコンデンサＣへの交換が容易である。必要とされる電流仕様に対応した外付けのコイルＬ、コンデンサＣの組み合わせを外部端子に接続すればよい。
【００４０】
新たな仕様に対応させるため、スイッチング周期とコイル、コンデンサを選択するためのデータを差し替える必要がある。例えば、実施の形態１に係る、図３のスイッチング周期とコイル、コンデンサを選択するためのデータが設定されていた場合に、図８のスイッチング周期とコイル、コンデンサを選択するためのデータに変更する場合を想定する。
【００４１】
図３に示したデータを図８のデータにリモートチャンネル（外部書き換え機）６６を使って書き換える。リモートチャンネル６６は、図１、６、７でリモートＣＨと記載しているが、ＲＯＭライターであってもよいし、制御モジュールの取り外しが不要な専用の外部書き込み機であってもよい。これにより、電源電圧制御装置の開発当初に想定されなかった仕様の変更に対しても、外付け部品との組み合わせにより、最適な電源を安定供給することが可能となる。
【００４２】
本願は、様々な例示的な実施の形態及び実施例が記載されているが、１つ、または複数の実施の形態に記載された様々な特徴、態様、及び機能は特定の実施の形態の適用に限られるのではなく、単独で、または様々な組み合わせで実施の形態に適用可能である。従って、例示されていない無数の変形例が、本願明細書に開示される技術の範囲内において想定される。例えば、少なくとも１つの構成要素を変形する場合、追加する場合または省略する場合、さらには、少なくとも１つの構成要素を抽出し、他の実施の形態の構成要素と組み合わせる場合が含まれるものとする。
【符号の説明】
【００４３】
１  正極側スイッチング素子、２  負極側スイッチング素子、３  直流電源の正極側、４  直流電源の負極側、５、７、１２  切り替え器、６  中間点、１１  出力端子、２１、２２、２３  選択入力端子、３１、３２、３３、１３１、１３２、１３３  コイル、４１、４２、４３、１４１、１４２、１４３  コンデンサ、５１、５２、５３  選択出力端子、６０、６１  制御モジュール、７１、７２、７３  選択接地端子、１００、１０１、１０２  電源電圧制御装置
【要約】
【課題】電源電圧制御装置のコイルとコンデサは固定されているので、スイッチング周波数が変化した場合、出力電圧のリップルおよび発振の誘発のおそれがある。
【解決手段】複数のコイルとコンデンサのペアを設け、切り替え器を用いて、選択したスイッチング周波数に適合したコイルとコンデンサを接続し、それ以外のコイルとコンデンサを電気的に切り離し、スイッチング素子と接続してスイッチングレギュレータを構成した。これにより、出力電圧の発振懸念がなくなるとともに電圧リップルを抑制し、安定した出力電圧を得ることができる。
【選択図】図１【図１】
0006910497.tif 000002
【図２】
0006910497.tif 000003
【図３】
0006910497.tif 000004
【図４】
0006910497.tif 000005
【図５】
0006910497.tif 000006
【図６】
0006910497.tif 000007
【図７】
0006910497.tif 000008
【図８】
0006910497.tif 000009